(57)【要約】【課題】複眼撮像装置において、消費電力の上昇等の問題を招くことなく、表示手段に表示される画面のフレームレートを大きく切替えることができ、容易に高いフレームレートを得る。【解決手段】受光素子アレイにより撮像された複数の個眼像がマイクロプロセッサ８を介して順に読み出され動き検出回路１１を経て再構成処理回路１６に送られる。再構成処理回路１６によって再構成された１つの画像は、表示装置１５に表示される。動き検出回路１１によって画像内に動きが検出された場合、モード切替回路１２を介してモード切替信号が出力され、複数の個眼像の全てを読み出す全読出しモードから、１個の個眼像を読み出す１個読出しモードへ切替えられる。１個読出しモードにおいては複数の個眼像のうち代表的な１つの個眼像を繰り返し読み出すので、同一の読出し速度であっても、表示装置１５に表示される画像のフレームレートを全読出しモードに比べて高くできる。【選択図】図３
2007116208.tif 000002
【特許請求の範囲】
【請求項１】
光軸が互いに略平行である複数の光学レンズが一体的に形成された光学レンズアレイと、
前記光学レンズアレイから所定距離隔てて配置され、前記複数の光学レンズによりそれぞれ形成される複数の像（以下、個眼像という）を撮像する受光素子アレイと、
前記受光素子アレイにより撮像された複数の個眼像を順次読み出す画像読出し手段と、
前記画像読出し手段により読み出された個眼像を解析する画像解析回路と、
前記画像読出し手段より読み出された複数の個眼像から、各個眼像間の視差情報を利用して１つの画像を再構成する画像再構成手段とを備え、
前記画像再構成手段により再構成された１つの再構成画像が液晶モニタ等の表示手段に表示される複眼撮像装置において、
前記画像読出し手段が、前記受光素子アレイ上の全ての個眼像を順次読み出す全読出しモードと、前記受光素子アレイ上の１つの個眼像を読み出す１個読出しモードとに切替え可能であって、かつ前記全読出しモードと１個読出しモードが前記画像解析回路からのモード切替信号によって切替えられるように構成され、
前記画像読出し手段が全読出しモードに切替えられたときは、前記表示手段に高解像度の画像が表示され、前記画像読出し手段が１個読出しモードに切替えられたときは、前記表示手段に低解像度の画像が表示されることを特徴とする複眼撮像装置。
【請求項２】
前記画像読出し手段は、画像読出し速度が変更可能に構成されていることを特徴とする請求項１に記載の複眼撮像装置。
【請求項３】
光軸が互いに略平行である複数の光学レンズが一体的に形成された光学レンズアレイと、
前記光学レンズアレイから所定距離隔てて配置され、前記複数の光学レンズによりそれぞれ形成される複数の個眼像を撮像する受光素子アレイと、
前記受光素子アレイにより撮像された複数の個眼像を順次読み出す画像読出し手段と、
前記画像読出し手段より読み出された複数の個眼像から、各個眼像間の視差情報を利用して１つの画像を再構成する画像再構成手段とを備え、
前記画像再構成手段により再構成された１つの再構成画像が液晶モニタ等の表示手段に表示される複眼撮像装置において、
前記画像読出し手段が、前記受光素子アレイ上の全ての個眼像を順次読み出す全読出しモードと、前記受光素子アレイ上の一部の個眼像を選択的に読み出す一部読出しモードとに切替え可能に構成され、
前記画像読出し手段が全読出しモードに切替えられたときは、前記表示手段に高解像度の画像が表示され、前記画像読出し手段が一部読出しモードに切替えられたときは、前記表示手段に低解像度の画像が表示されることを特徴とする複眼撮像装置。
【請求項４】
前記画像読出し手段は、画像読出し速度が変更可能に構成されていることを特徴とする請求項３に記載の複眼撮像装置。
【発明の詳細な説明】
【技術分野】
【０００１】
本発明は、撮像のための光学系を複数の微小な光学系により構成し、各光学系により撮像された複数の像を再構成することによって１つの画像を得る複眼撮像装置に関する。
【背景技術】
【０００２】
携帯電話やパソコン等に組み込む薄型のカメラモジュールとして複眼撮像装置が開発されている。複眼撮像装置は、光軸が互いに平行である複数の光学レンズが集積された光学レンズアレイと、光学レンズアレイの各光学レンズによって形成される複数の像（個眼像）を撮像する受光素子アレイと、受光素子アレイによって撮像された複数の個眼像から各画像間の視差情報を利用して１つの画像を再構成する画像再構成回路とから主に構成される。
【０００３】
受光素子アレイ上に形成される複数の個眼像は、マイクロプロセッサから発生されるクロックに基づいてその読出し速度が決められる画像読出し手段によって、アレイに沿って順に１個ずつ読み出され、画像再構成回路によって処理されて１つの画像に再構成される。
【０００４】
複眼撮像装置の構成については、例えば、特許文献１乃至特許文献５等の多数の文献によって開示されている。
【０００５】
一方、監視カメラシステムにおいて、低解像度のカメラと、多数の高解像度カメラを備え、低解像度カメラで撮像した画像の解析により追尾すべき物体を検出したときに、多数の高解像度カメラのうち特定の方向を向いている高解像度カメラのみを電源オンにし、そのカメラによって撮像した画像を捕捉する技術が知られている（例えば、特許文献６参照）。
【０００６】
また、撮影画像の画質を向上するために撮影領域を複数の領域に分割し、分割された領域ごとに焦点の調整を行い、その後分割された領域を連結して１つの画像に再構成する技術が知られている（例えば、特許文献７参照）。
【特許文献１】特開２００１−６１１０９号公報
【特許文献２】特開２００３−１４３４５９号公報
【特許文献３】特開２００４−１４６６１９号公報
【特許文献４】特開２００３−２８３９０７号公報
【特許文献５】特開２００３−２８３９３２号公報
【特許文献６】特開２００４−３２８７３６号公報
【特許文献７】特開２００３−３１９２３５号公報
【発明の開示】
【発明が解決しようとする課題】
【０００７】
上述のように複眼撮像装置では、受光素子アレイ上に形成される複数の個眼像は、マイクロプロセッサから発生されるクロックに基づいて決められる所定の読出し速度によって順に１個ずつ読み出され、全ての個眼像が読み出された後に画像再構成回路によって処理されて１つの画像に再構成される。従って、液晶モニタ等の表示画面において比較的高いフレームレート（単位時間当たりに更新される画像枚数）で再構成画像を表示させようとすると、受光素子アレイからの個眼像の読出し速度を上げなければならない。そのためには、マイクロプロセッサのクロック周波数を上げる必要があり、消費電力の上昇を招くという別の問題が生じる。
【０００８】
一方、複眼撮像装置の用途として、例えば監視カメラシステムがある。監視カメラシステムには、要求されるフレームレートにおいて次のような事情がある。すなわち、監視カメラシステムでは、異常を検出していない通常撮影時は、低解像度、低フレームレートによる撮影でも問題がないが、一旦異常を検出して不審な動く物体を追尾するときには、高フレームレートによる撮影が必要である。そして、物体の動きが遅くなり、物体の位置が特定された後は、あまり高いフレームレートは必要ではない。むしろ、不審な物体の輪郭とか細部を見極めるために高解像度での撮影が望ましい。つまり、監視カメラシステムでは、低解像度、低フレームレートでの撮影→低解像度、高フレームレートでの撮影→高解像度、低フレームレートでの撮影といった順に撮影態様が切替えられることが望ましい。
【０００９】
すなわち、上記監視カメラシステムに代表されるような動く被写体を検出するための撮像システムでは、状況に応じて異なったフレームレートに切替えができ、しかも高い方のフレームレートは極力高いフレームレートであることが望ましい。また、高解像度の撮像ができることが望ましい。
【００１０】
ところが、従来の複眼撮像装置では、それを上記のようなシステムに適用させるときに、異なったフレームレートに切替えができるようにしたり、高いフレームレートを得ることができるようにするためには、読み出し速度を上げる（クロック周波数を上げる）ことでしか対応できず、クロック周波数を上げると前述のように消費電力が上昇するという問題が発生するので、充分に高いフレームレートを得ることは困難であった。
【００１１】
また、読み取り速度を上げるために、受光素子の読み取る画素を間引く技術が知られている。ところが、この技術によると一応読み取り速度が上昇し、高いフレームレートを得ることができるが、特定の色の画素が偏って間引かれると、得られる画像に偽色が生じる場合がある。
【００１２】
そこで、本発明は、フレームレートを大きく上げるためのクロック周波数の引き上げとか、それに起因する消費電力の上昇を極力抑えつつ、容易に高いフレームレートを得ることができ、しかも高解像度の撮像ができる、監視カメラシステム等の撮像システムに適した複眼撮像装置を提供することを目的とする。
【課題を解決するための手段】
【００１３】
上記目的を達成するために、請求項１の発明は、光軸が互いに略平行である複数の光学レンズが一体的に形成された光学レンズアレイと、前記光学レンズアレイから所定距離隔てて配置され、前記複数の光学レンズによりそれぞれ形成される複数の像（以下、個眼像という）を撮像する受光素子アレイと、前記受光素子アレイにより撮像された複数の個眼像を順次読み出す画像読出し手段と、前記画像読出し手段により読み出された個眼像を解析する画像解析回路と、前記画像読出し手段より読み出された複数の個眼像から、各個眼像間の視差情報を利用して１つの画像を再構成する画像再構成手段とを備え、前記画像再構成手段により再構成された１つの再構成画像が液晶モニタ等の表示手段に表示される複眼撮像装置において、前記画像読出し手段が、前記受光素子アレイ上の全ての個眼像を順次読み出す全読出しモードと、前記受光素子アレイ上の１つの個眼像を読み出す１個読出しモードとに切替え可能であって、かつ前記全読出しモードと１個読出しモードが前記画像解析回路からのモード切替信号によって切替えられるように構成され、前記画像読出し手段が全読出しモードに切替えられたときは、前記表示手段に高解像度の画像が表示され、前記画像読出し手段が１個読出しモードに切替えられたときは、前記表示手段に低解像度の画像が表示されることを特徴とする。
【００１４】
請求項２の発明は、請求項１の発明において、前記画像読出し手段は、画像読出し速度が変更可能に構成されていることを特徴とする。
【００１５】
請求項３の発明は、光軸が互いに略平行である複数の光学レンズが一体的に形成された光学レンズアレイと、前記光学レンズアレイから所定距離隔てて配置され、前記複数の光学レンズによりそれぞれ形成される複数の個眼像を撮像する受光素子アレイと、前記受光素子アレイにより撮像された複数の個眼像を順次読み出す画像読出し手段と、前記画像読出し手段より読み出された複数の個眼像から、各個眼像間の視差情報を利用して１つの画像を再構成する画像再構成手段とを備え、前記画像再構成手段により再構成された１つの再構成画像が液晶モニタ等の表示手段に表示される複眼撮像装置において、前記画像読出し手段が、前記受光素子アレイ上の全ての個眼像を順次読み出す全読出しモードと、前記受光素子アレイ上の一部の個眼像を選択的に読み出す一部読出しモードとに切替え可能に構成され、前記画像読出し手段が全読出しモードに切替えられたときは、前記表示手段に高解像度の画像が表示され、前記画像読出し手段が一部読出しモードに切替えられたときは、前記表示手段に低解像度の画像が表示されることを特徴とする。
【００１６】
請求項４の発明は、請求項３の発明において、前記画像読出し手段は、画像読出し速度が変更可能に構成されていることを特徴とする。
【発明の効果】
【００１７】
本発明によれば、複眼撮像装置において、フレームレートを大きく上げるためのクロック周波数の増大とか、それに起因する消費電力の上昇を極力抑えつつ、容易に高いフレームレートを得ることができ、しかも高解像度の撮像ができる。
【発明を実施するための最良の形態】
【００１８】
本発明を実施するための最良の実施形態について図面を参照して説明する。本実施形態の複眼撮像装置１は、監視カメラシステムの撮像装置として適用されるものであり、図１及び図２に示されるように、光軸Ｌが互いに平行である３行４列の１２個の光学レンズ３ａが１枚の板上に一体的に形成された光学レンズアレイ３と、光学レンズアレイ３の下方に配置され、各光学レンズ３ａによってそれぞれ形成される１２個の個眼像Ａｃを撮像する受光素子アレイ４と、光学レンズアレイ３と受光素子アレイ４との間に配置され、各光学レンズ３ａから出射する光が互いに干渉しないように光学レンズアレイ３と受光素子アレイ４との間の空間を光軸Ｌに直交する面上において区画する遮光ブロック５と、遮光ブロック５の下方に配置され、光学レンズ３ａから出射する光のうち可視光のみを透過させる光学フィルタ６と、光学レンズアレイ３の上方に配置され、各光学レンズ３ａへの不要な外光入射を遮断するための絞り部材７とを備えている。なお、光学フィルタ６は、赤外光のみを透過するフィルタであってもよいし、可視光と赤外光を透過するフィルタであってもよい。
【００１９】
遮光ブロック５と受光素子アレイ４は、図２に示されるように、それぞれ長方形の板状に形成され、平面視において重なり合うように配置される。受光素子アレイ４は、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）イメージセンサ等の半導体基板から構成されている。遮光ブロック５は、平面視において受光素子アレイ４よりも少し小さな直方形のブロックであり、光学レンズアレイ３の各光学レンズ３ａに臨む円形の開口５ａと、光軸Ｌに直交する面上において空間を区画する隔壁５ｂを有している。
【００２０】
従って、被写体からの光は、絞り部材７によって一定の光量に規制されて光学レンズアレイ３の各光学レンズ３ａに入射し、各光学レンズ３ａから出射する光は、遮光ブロック５の隔壁５ｂによって互いの干渉を生じることなく光学フィルタ６を介して受光素子アレイ４上に到達して、遮光ブロック５の円形開口５ａに応じた円形の像（個眼像）Ａｃを、それぞれ形成する。
【００２１】
受光素子アレイ４上に形成された１２個の個眼像Ａｃは、それぞれ電気信号として受光素子アレイ４から順に読み出され、受光素子アレイ４を構成する同一の半導体上に備えられた後述のマイクロプロセッサを介して液晶モニタ等の表示装置１５（図３参照）に表示される１つの画像に再構成される。各個眼像Ａｃが受光素子アレイから読み出されて再構成画像に再構成されるときには、円形の個眼像Ａｃから該円形に内接する正方形の画像Ａｓが切り出されて利用される。なお、遮光ブロック５の開口は、長方形であってもよい。
【００２２】
受光素子アレイ４上に形成された個眼像Ａｃの読み出しは、具体的には、マイクロプロセッサから発生されるクロックに基づいて決定される所定の読み出し速度で、例えば、次のようにして読み出される。すなわち、図２における最上位行の最左列の個眼像Ａｃ→最上位行の左端から２列目の個眼像Ａｃ→最上位行の右端から２列目の個眼像Ａｃ→最上位行の最右列の個眼像Ａｃ→中位行の最左列の個眼像Ａｃ→中位行の左端から２列目の個眼像Ａｃ・・という順序で光学レンズ３ａの配置された行と列に沿って順に１個ずつ読み出される。なお、本実施形態では、マイクロプロセッサから発生されるクロックに基づいて決定される読み出し速度は、逓倍器等を用いて多段階に切替えられるようになっている。
【００２３】
そして、本実施形態では、後述するモード切替回路からの指令信号によって、個眼像Ａｃの読み出しは、上記のようにして１２個の個眼像Ａｃ全てを網羅的に読み出すモード（全読出しモード）と、１つの個眼像（例えば、中位行の左端から２列目の個眼像Ａｃ、以下、代表個眼像という）のみを読み出すモード（１個読出しモード）とに切替えられる。
【００２４】
図３に本実施形態の複眼撮像装置１を含む監視カメラシステムの電気的ブロック構成を示す。マイクロプロセッサ８は、同一の半導体内、又は別の半導体内に備えられた動き検出回路１１に接続される。マイクロプロセッサ８を介して読み出された受光素子アレイ４上の個眼像Ａｃは動き検出回路１１に入力され、さらにインタフェース１３を介して再構成処理回路１６へ入力される。再構成処理回路１６では、入力された１２個の個眼像Ａｃから各個眼像間の視差情報を利用して１つの画像が再構成される。
【００２５】
再構成された画像は、再びインタフェース１３を介して液晶モニタ等の表示装置１５に送られて表示される。表示装置１５に表示される再構成画像には、メモリ１４に記憶された撮像の日付やカメラ番号等の情報が適宜重畳されて表示される。また、再構成された画像のうち特定の画像がユーザの操作等によって適宜メモリ１４に保存される。
【００２６】
動き検出回路１１によって個眼像Ａｃ内の画像に変化があることが検出された場合（不審な物体が検出された場合）には、モード切替回路１２に信号が出力され、モード切替回路１２からは、全読出しモードと１個読出しモードとの間で読み出しモードを切替えるための信号が出力される。
【００２７】
また、本実施形態では、動き検出回路１１によって検出される動きの種類によって、２種類の信号がモード切替回路１２へ出力され、モード切替回路１２は、当該２種類の信号に応じて、読出しモードを切替える信号の他に読出し速度を切替えるための信号を出力する。なお、モード切替回路１２は、前述のマイクロプロセッサ８内に備えられてもよいし、当該マイクロプロセッサ８とは別に設けたマイクロプロセッサ内に備えられてもよい。
【００２８】
次に、図４のフローチャートを参照して、読出しモードの切替えと読出し速度の切替えについて説明する。通常の監視用の撮影が行われている状態（通常撮影）では、受光素子アレイ４上に形成された個眼像Ａｃの読出し速度は低速に設定され、読出しモードは１個読出しモードに設定される（Ｓ１）。読出し速度が低速なので消費電力が少なくて済む。監視カメラシステムが作動している時間の大部分を占めるこの通常撮影において消費電力が少なくて済み、監視カメラシステムを稼動させるために要するコストの削減に大きく寄与する。
【００２９】
また、読出しモードが１個読出しモードに設定されるので、代表個眼像Ａｃのみが連続して繰り返し読み出され、１つの個眼像Ａｃが繰り返し読み出されるので、読出し速度自体は、全部の個眼像Ａｃを順に読み出してくる全読出しモードに比べて低速であっても、動き検出回路１１に入力される画像の更新頻度（フレームレート）を全読出しモードと同じにすることができる。
【００３０】
つまり、具体的に説明すると、今読出し速度が速度Ｖ（基準速度）で一定であるとして、全読出しモードが実行されるときの画像の更新頻度（フレームレート）を１回／単位時間とすると、読出しモードが１個読出しモードに切替られたときには、画像の更新頻度（フレームレート）は１２回／単位時間になる。従って、逆に通常撮影時には高フレームレートは必要ではなく、低フレームレート（例えば１回／単位時間）でよいので、通常撮影時の読出し速度は例えば基準速度Ｖの１２分の１でよいことになる。
【００３１】
なお、この通常撮影時の低解像度、低フレームレートの画像は、インタフェース１３を介して直接表示装置１５へ出力され、表示装置１５に表示される。
【００３２】
次に、動き検出回路１１によって代表個眼像Ａｃの映像に変化が検出された場合には（Ｓ２においてＹＥＳ）、読出し速度が高速へ切替えられて（Ｓ３）、高速モードとなる。
【００３３】
読出しモードが１個読出しモードに設定されたままで、代表個眼像Ａｃの読出し速度が高速に切替えられるので、動き検出回路１１に入力される画像の更新頻度（フレームレート）は、高い頻度になる。例えば、上記の例に則して説明すれば、逓倍器を用いて読み出し用のクロックを１２倍にして、読出し速度を基準速度Ｖにする。この場合には、動き検出回路１１に入力される画像の更新頻度（フレームレート）は通常撮影の場合に比べて１２倍になる。これによって不審な物体が画面内を移動しても追尾がより容易になる。この高フレームレートの画像も、インタフェース１３を介して直接表示装置１５へ出力され、表示装置１５に表示される。また、この高速モードでは、Ｓ５に示される高解像度モードに比べて１フレーム当たりの情報量が少ないので、高速モードにおいて高解像度モードの時と同一クロックで動作させた場合には、高解像度モードの時のフレームレートと比べて、個眼の分割数倍（１２倍）のフレームレートで画像出力が可能となる。
【００３４】
そして、物体の追尾の結果、動き検出回路１１によって物体の位置が特定され、この物体が余り動かなくなった後に、物体の詳細な画像が必要と判断された場合（Ｓ４においてＹＥＳ）には、読出しモードが全読出しモードへ切替えられて（Ｓ５）、高解像度モードとなる。
【００３５】
高解像度モードでは、読出しモードが全読出しモードに切替えられることによって、１２個の個眼像Ａｃ全てが順に読み出され、再構成処理回路１６によって１つの画像に再構成され、再構成された画像が表示装置１５に表示される。従って、この表示装置１５に表示される画像は高解像度の画像となる。一方、この高解像度撮影時のフレームレート（画像の更新頻度）は、ステップＳ３における高速撮影時のフレームレートよりも低下する。上記の例に則してフレームレートについて具体的に説明する。フレームレートは、読出しモードが全読出しモードであって、読出し速度が基準速度Ｖのときに１回／単位時間と定めたので、ステップＳ５の高解像度撮影時の読出し速度は基準速度Ｖであるから、フレームレートは１回／単位時間になる。
【００３６】
従って、このステップＳ５における高解像度撮影時の表示装置１５に表示される画像をメモリ１４に記憶させれば、不審な動く物体の高解像度画像を記録することができる。
【００３７】
上記のように、本実施形態においては、上記ステップＳ１に示される通常撮影の場合に、１個読出しモードで読み出しを行なうようにしたことにより、必要なフレームレート（上記の例であれば１回／単位時間）を得るためのクロック周波数が少なくて済み、消費電力を抑えることができる。また、上記ステップＳ５に示される高解像度撮影の場合に、全読出しモードで読み出しを行なうようにしたことにより、高解像度の撮像を容易に得ることができる。
【００３８】
なお、本実施形態において、読出しモードは全読出しモードと１個読出しモードに切替えられるようになっているが、１個読出しモードに代えて２〜５個程度の複数個の個眼像Ａｃを読み出し、読み出した複数個の個眼像Ａｃを再構成処理回路１６によって１つの画像に再構成し、その再構成画像を表示装置１５に表示させるようにすることも可能である。この場合には、通常撮影時及び高速撮影時における表示装置１５に表示される画像のフレームレートは、１個読出しの場合に比べて数倍低下するが、画像の解像度は向上する。
【００３９】
次に、本発明の複眼撮像装置１を携帯電話に搭載の撮像装置として適用する場合について説明する。携帯電話に搭載の撮像装置に適用する場合の構成も図３に示された構成とほぼ同様である。表示装置１５は、携帯電話の表示用モニタに相当し、動き検出回路１１はユーザが表示装置の画像を見て操作するキーに相当する。
【００４０】
従って、携帯電話に搭載の撮像装置としての複眼撮像装置１の動作は、図４のフローチャートにおける動き検出回路１１による判断のステップＳ２とステップＳ４が、ユーザによって判断されるステップになる。すなわち、通常撮影を実行している状態では携帯電話の表示用モニタに低いフレームレートで低解像度の画像が表示され、ユーザが動く被写体等をさらに確実に追尾したいときには、所定のキーを操作することによって高速撮影に切替える。前述の監視カメラシステムの場合と同様に通常撮影時は低消費電力で駆動することができる。
【００４１】
そして、ユーザが被写体の位置等を確認して、被写体の最終的な画像を撮像したいときには、再び所定のキーを操作することによって高解像度撮影に切替える。ここで撮像された高解像度画像はメモリ１４に記録することができる。
【００４２】
次に、本発明の複眼撮像装置１を顔認証用システムの撮像装置として適用する場合について説明する。顔認証用システムに適用する場合の構成も図３に示された構成とほぼ同様である。表示装置１５は、顔認証用システムの表示モニタに相当し、動き検出回路１１は、画像の中での人物の立ち位置や顔位置の検出回路に相当する。
【００４３】
従って、顔認証用システムの撮像装置としての複眼撮像装置１の動作は、図４のフローチャートにおける動き検出回路１１による判断のステップＳ２とステップＳ４が、人物の立ち位置や顔位置の検出回路によって判断されるステップになる。すなわち、通常撮影を実行している状態で画像中に人物が登場すると、動き検出回路１１はそのことを検出し、高速撮影に切替える。そして、高速撮影において、人物の顔の位置が特定された後に、人物が余り動かなくなったときに、動き検出回路１１は、高解像度撮影に切替える。高解像度撮影に切替えられた後、その画像がメモリ１４に記録される。メモリ１４に記録された高解像度の画像に基づいて、既存の顔認証用ソフトによって人物の顔の認証が行われる。
【００４４】
以上のように、本発明の複眼撮像装置１は、モニタ画面等の表示装置１５に表示される画面のフレームレートを容易に大きく切替えることができ、消費電力の上昇を招くことなく容易に高いフレームレートを得ることができ、しかも高解像度の撮像ができるので、上記の監視カメラシステム以外にも動きのある被写体を的確に撮像するためのカメラシステム、例えば車載カメラシステム、ロボットに搭載されるカメラシステム等に適用して高い機能を発揮させることができる。
【図面の簡単な説明】
【００４５】
【図１】本発明の一実施形態に係る複眼撮像装置の側断面図。
【図２】同複眼撮像装置の遮光ブロックと受光素子アレイの配置を示す平面図。
【図３】同複眼撮像装置を含む監視カメラシステムの電気的ブロック構成図。
【図４】同監視カメラシステムにおける撮影の手順を示すフローチャート。
【符号の説明】
【００４６】
１  複眼撮像装置
３  光学レンズアレイ
３ａ  光学レンズ
４  受光素子アレイ
８  マイクロプロセッサ（画像読出し手段）
１１  動き検出回路（画像解析回路）
１５  表示装置（表示手段）
１６  再構成処理回路（画像再構成手段）
Ａｃ  個眼像
Ｌ  光軸
【図１】
2007116208.tif 000003
【図２】
2007116208.tif 000004
【図３】
2007116208.tif 000005
【図４】
2007116208.tif 000006